(57)【特許請求の範囲】
【請求項１】
投光素子と、
受光素子と、
前記投光素子または前記受光素子を、所定の方向に並べた状態で収納する収納ケースと、
前記収納ケースに対して、前記収納ケースの長手方向の一方の端部に固定される第１の部材および他方の端部に固定され前記第１の部材とは別体で構成される第２の部材を含み、
前記収納ケースは、前記投光素子の投光する光または前記受光素子の受光する光が透過する透明な面を有し、
前記第１の部材および前記第２の部材は、それぞれ前記収納ケースに固定されたときに前記収納ケースの前記透明な面に垂直であって前記所定の方向に平行な面を有し、
前記第１の部材および前記第２の部材の前記面は、前記収納ケースに固定されたときに前記収納ケースの前記透明な面に垂直な方向に長手方向を有する棒状の穴を形成され、
前記棒状の穴にねじを通過させることにより、前記第１の部材と前記第２の部材に対して前記収納ケースを保持させる第１の保持手段と、
前記第１の部材を保持する第３の部材と前記第２の部材を保持する第４の部材に対して、前記所定の方向に沿った第１の軸を共通の回転中心とした回転方向に角度調整が可能なように前記収納ケースを保持させる第２の保持手段とをさらに含み、
前記第１の保持手段は、前記ねじが前記棒状の穴を通過する位置を変更させて、前記第１の部材および前記第２の部材を前記収納ケースに固定させる、多光軸光電スイッチ。
【請求項２】
前記第１の部材および前記第２の部材は、それぞれ、前記収納ケースに固定されたときに前記収納ケースの前記透明な面に垂直であって前記所定の方向に平行な面を２つ有し、
前記第１の部材および前記第２の部材の２つの前記面は、それぞれに、互いに向かい合う位置に、前記棒状の穴を形成され、
前記収納ケースは、その長手方向の端部に、前記所定の方向に垂直な方向に前記収納ケースを貫通する貫通穴を形成され、
前記第１の部材および前記第２の部材は、前記棒状の穴に適合する径のねじを前記棒状の穴および前記貫通穴に通されることにより、前記収納ケースの端部にはめ込まれて、前記収納ケースに固定される、請求項１に記載の多光軸光電スイッチ。
【請求項３】
前記貫通穴は、前記収納ケースの前記透明な面に垂直な方向に長手方向を有する棒状の断面形状を有する、請求項２に記載の多光軸光電スイッチ。
【発明の詳細な説明】
【０００１】
【発明の属する技術分野】
本発明は、光電スイッチに関し、特に、対となる投光素子と受光素子とがそれぞれ収納された投光器と受光器とからなる多光軸光電スイッチに関する。
【０００２】
【従来の技術】
この種の従来の取付具においては、たとえば複数の投光素子を含む投光器と複数の受光素子を含む受光器とからなる多光軸光電スイッチ等の収納ケースを上下２箇所で取付状態に保持するものがあった。図１３に、このような従来の取付具を備えた多光軸光電スイッチを示す。なお、図１３（ａ）は、投光素子または受光素子からなる光電素子を複数収納した収納ケースが、従来の取付具で所定の取付部に取付けられた状態を説明する説明図であって、図１３（ｂ）は、図１３（ａ）の収納ケースと従来の取付具の接続関係を示す説明図である。
【０００３】
図１３（ａ）を参照して、収納ケース９０１内には、複数の投光素子または受光素子からなる光電素子（図示せず）が縦１列に並べられた状態で収納されている。９０２は、収納ケース９０１内に収納された投光素子または受光素子が投光または受光する光が通過するためのレンズである。
【０００４】
収納ケース９０１の上端および下端には、収納ケース９０１を外部の所定の取付部に取付けるための取付具９１０および９２０が取付けられている。取付具９１０および取付具９２０は、断面Ｌ字型の形状を有しており、取付具９１０は、ねじ９１１および９１２によって外部の所定の取付部に取付けられ、ねじ９１３および９１４によって収納ケース９０１に取付けられている。また、取付具９２０も断面Ｌ字型の形状を有しており、取付具９１０と同様に、ねじ９２１を含めた２本のねじで外部の所定の取付部に取付けられ、かつ、前述のねじ９１３およびねじ９１４に相当する図示せぬ２本のねじにより収納ケース９０１に取付けられている。つまり、収納ケース９０１は、取付具９１０および取付具９２０が取付けられることにより、外部の所定の取付部に取付けられるのである。
【０００５】
ここで、収納ケース９０１に収納された複数の光電素子の配列方向にほぼ沿った縦方向をａ軸（二点破線）とし、ａ軸に垂直な２軸をそれぞれｂ軸（横方向：破線）、ｃ軸（前後方向：一点破線）とすると、収納ケース９０１は、取付具９１０および９２０により、前述のａ軸を回転中心とした回転方向Ｘについて角度調整が行なえるように、外部の所定の取付部に取付けられている。以下に、収納ケース９０１が、取付具９１０および９２０によって、外部の所定の取付部に取付けられたまま、回転方向Ｘについて角度を調整される態様を説明する。
【０００６】
まず、取付具９１０の収納ケース９０１への取付の態様について説明する。図１３（ａ）および図１３（ｂ）を参照して、９１７は、ねじ９１１が通る穴であり、９１５および９１６は、ねじ９１３およびねじ９１４が通る穴である。また、９０３および９０４は、ねじ９１３および９１４がそれぞれねじ込まれるねじ穴である。なお、穴９１５の大きさは、ねじ９１３がねじ穴９０３にねじ込まれることにより取付具９１０を収納ケース９０１に固定できるような、ねじ９１３の断面に対応した大きさである。また、穴９１６は、円弧状であり、その幅は、ねじ９１４に対応したものであり、ねじ９１４がねじ穴９０４にねじ込まれたときに取付具９１０を収納ケース９０１に固定可能な幅である。ここで、取付具９２０も、穴９１６に対応する穴を有することから、ねじ９１３およびねじ９１４をそれぞれねじ穴９０３およびねじ穴９０４にねじ込む場合に、穴９１６内のねじ穴９１４が通される位置を調節することによって、そして、取付具９２０においても同様の調節を行なうことによって、取付具９１０および取付具９２０と収納ケース９０１の相対的な位置は、回転方向Ｘに関して、変更可能となる。このように、取付具９１０および９２０の収納ケース９０１への取付位置を調節することにより、収納ケース９０１の回転方向Ｘについての角度調整が行なわれる。
【０００７】
一方、多光軸光電スイッチは、通常、投光素子を複数並べた状態で収納する投光器と、受光素子を複数並べた状態で収納する受光器とからなる。
【０００８】
そして、上述のような多光軸光電スイッチは、たとえば、内部では危険な作業を行なうが、扉を設けていない作業室を有する装置において、作業室において危険な作業が行なわれている間に人間の手等が作業室に侵入したことを検知する目的で取付けられる。
【０００９】
図１４に、上述のような装置の一例を示す。図１４を参照して、装置２００の前面には、投光素子を含む投光器２０１と受光素子を含む受光器２０２が取付けられている。また、矢印３００は、投光器２０１の投光素子が投光した光の光軸を示している。そして、投光器２０１と受光器２０２により、多光軸光電スイッチが構成されており、投光素子から受光素子へ伸びる光軸がこの多光軸光電スイッチの検知範囲となる。
【００１０】
投光器２０１と受光器２０２とから構成される多光軸光電スイッチは、投光器２０１の投光素子が投光した光を受光する受光器２０２の受光素子の受光強度の変化により、検知範囲内に検知対象物が侵入したことを検知する。そして、装置２００においては、作業室４００内で危険な作業が行なわれている場合、投光器２０１から投光された光の受光素子２０２による受光強度が変化することによって、作業室４００に人間の手等が侵入したことが検知されるよう構成されている。
【００１１】
したがって、上述のような多光軸光電スイッチにおいては、矢印３００で示す投光器２０１の投光素子から投光された光が受光器２０２の受光素子に確実に届くように、投光器２０１と受光器２０２の位置合わせを行なう必要がある。この位置合わせを「光軸合わせ」という。
【００１２】
そして、上述のように、図１３を用いて説明した従来の取付具によっては、投光素子または受光素子からなる光電素子を複数並べた状態で収納するような収納ケースは、収納された光電素子の配列方向にほぼ沿ったａ軸を回転中心とした回転方向Ｘに関して角度の調整が可能なように取付けられる。
【００１３】
【発明が解決しようとする課題】
しかし、図１３に示す従来の取付具９１０および取付具９２０では、収納ケース９０１を、ｂ軸を回転中心とした回転方向Ｙ、ｃ軸を回転中心とした回転方向Ｚについては、角度調整することができなかった。したがって、図１４を用いて説明したような投光器と受光器とからなる多光軸光電スイッチの取付けに実際に使用する場合に、投光器および受光器の十分な光軸合わせが行なえなかったため、光軸合わせによる調整がある程度ずれても投光素子が投光する光を受光素子が受光できるように、投光器に備えられる投光素子が投光する光の広がりを大きくする必要があった。
【００１４】
一方、投光素子の投光する光の広がりが大きい場合、光の進行方向の周囲にある壁などの物体からの反射の影響を受けやすくなり、多光軸光電スイッチの誤動作が発生しやすくなる。
【００１５】
つまり、より誤動作の少ない多光軸光電スイッチを提供する意味からも、所定の取付部に取付けられた、多光軸光電スイッチの投光器または受光器を収納する収納ケースの角度調整が十分に行なえ、両者の位置合わせることが切望されていた。
【００１６】
本発明は、係る実情に鑑み考え出されたものであり、その目的は、取付けられた状態で、より正確に、収納ケースに収納された投光器と収納ケースに収納された受光器の光軸合わせができる多光軸光電スイッチを提供することである。
【００１７】
【課題を解決するための手段】
請求項１に記載の本発明は、多光軸光電スイッチであって、投光素子と、受光素子と、前記投光素子または前記受光素子を、所定の方向に並べた状態で収納する収納ケースと、前記収納ケースに対して、前記収納ケースの長手方向の一方の端部に固定される第１の部材および他方の端部に固定され前記第１の部材とは別体で構成される第２の部材を含み、前記収納ケースは、前記投光素子の投光する光または前記受光素子の受光する光が透過する透明な面を有し、前記第１の部材および前記第２の部材は、それぞれ前記収納ケースに固定されたときに前記収納ケースの前記透明な面に垂直であって前記所定の方向に平行な面を有し、前記第１の部材および前記第２の部材の前記面は、前記収納ケースに固定されたときに前記収納ケースの前記透明な面に垂直な方向に長手方向を有する棒状の穴を形成され、前記棒状の穴にねじを通過させることにより、前記第１の部材と前記第２の部材に対して前記収納ケースを保持させる第１の保持手段と、前記第１の部材を保持する第３の部材と、前記第２の部材を保持する第４の部材とを含み、前記第３の部材と前記第４の部材に対して、前記所定の方向に沿った第１の軸を共通の回転中心とした回転方向に角度調整が可能なように前記収納ケースを保持させる第２の保持手段とをさらに含み、前記第１の保持手段は、前記ねじが前記棒状の穴を通過する位置を変更させて、前記第１の部材および前記第２の部材を前記収納ケースに固定させることを特徴とする。
【００１８】
請求項１に記載の発明によると、本発明に従った多光軸光電スイッチでは、収納ケース内に、複数の投光素子または受光素子が、所定の方向に並べられて、収納されている。そして、本発明に従った多光軸光電スイッチは、収納ケースの長手方向の一端に固定される第１の部材と他端に固定される第２の部材を含む。当該第１の部材および第２の部材は、それぞれ、上記した所定の方向に平行な面を有している。そして、当該面には、棒状の穴が形成されている。そして、上記の第１および第２の部材は、第１の保持手段によって、上記の棒状の穴を通過させるように、ねじで、収納ケースに固定される。なお、当該部材が収納ケースに固定される際、ねじの、棒状の穴における通過位置は、変更させることができる。これにより、収納ケースは、第１の保持手段によって、上記の第１および第２の部材のそれぞれにおいて、上記の面に形成された棒状の穴におけるねじの通過位置を変更されることにより、当該面に垂直な方向にある軸を回転中心として、つまり、所定の方向に垂直な方向にある軸を回転中心として、角度を調整可能なように保持される。また、収納ケースは、第２の保持手段によって、所定の方向に沿った第１の軸を回転中心として、角度を調整可能なように保持される。つまり、請求項１に記載の本発明に従った多光軸光電スイッチでは、収納ケースは、上記の第１の軸および上記の第１の軸に垂直な軸のそれぞれを回転中心とした２つの回転方向に回転可能にかつ固定可能に保持されることになる。したがって、多光軸光電スイッチにおいて、より正確に投光器の収納ケースと受光器の収納ケースの光軸合わせができる。
【００１９】
請求項２に記載の本発明は、請求項１に記載の発明の構成に加えて、多光軸光電スイッチにおいて、前記第１の部材および前記第２の部材は、それぞれ、前記収納ケースに固定されたときに前記収納ケースの前記透明な面に垂直であって前記所定の方向に平行な面を２つ有し、前記第１の部材および前記第２の部材の２つの前記面は、それぞれに、互いに向かい合う位置に、前記棒状の穴を形成され、前記収納ケースは、その長手方向の端部に、前記所定の方向に垂直な方向に前記収納ケースを貫通する貫通穴を形成され、前記第１の部材および前記第２の部材は、前記棒状の穴に適合する径のねじを前記棒状の穴および前記貫通穴に通されることにより、前記収納ケースの端部にはめ込まれて、前記収納ケースに固定されることを特徴とする。
【００２０】
請求項２に記載の本発明によると、請求項１に記載の発明の作用に加えて、多光軸光電スイッチでは、上記したような第１および第２の部材のそれぞれに、上記したような面が２つ備えられ、そして、当該２つのそれぞれに、互いに向かい合う位置に、棒状の穴が形成される。また、収納ケースには、その長手方向の端部に、上記の所定の方向に垂直な方向に収納ケースを貫通する貫通穴が形成される。そして、上記の第１および第２の部材は、棒状の穴に適合する径のねじを棒状の穴および貫通穴に通されることにより、収納ケースの端部にはめ込まれて、収納ケースに固定される。
【００２１】
請求項３に記載の本発明は、請求項２に記載の発明の構成に加えて、前記貫通穴は、前記収納ケースの前記透明な面に垂直な方向に長手方向を有する棒状の断面形状を有することを特徴とする。
【００２２】
請求項３に記載の本発明によれば、請求項２に記載の発明の作用に加えて、上記した部材を収納ケースに固定する際に、ねじの、上記した貫通穴の通過位置を変更することによっても、当該面に垂直な方向にある軸を回転中心として、つまり、所定の方向に垂直な方向にある軸を回転中心として、角度を調整可能なように、収納ケースが保持される。
【００２３】
【発明の実施の形態】
［第１実施の形態］
図１（ａ）に、本発明の第１実施の形態に従った光電スイッチ用取付具を備えた、投光素子または受光素子からなる光電素子を収納している収納ケースの正面図を示す。図１（ａ）を参照して、収納ケース１は、複数の投光素子または受光素子からなる光電素子（図示せず）を、縦方向に並べた状態で、収納している。なお、本実施の形態における収納ケース１の形状は、四角柱であるが、本発明はこれに限定されるものではない。収納ケース１の正面には、収納している光電素子が投光または受光する光が通過する透明部材２が配置されている。
【００２４】
収納ケース１の上下には、断面がコの字型のコ型部材５およびコ型部材６がはめ込まれ、ねじ１１またはねじ１２で固定されている。なお、１３および１４はねじ１１および１２にそれぞれはめ込まれるナットである。そして、コ型部材５の上およびコ型部材６の下には、断面がＬ字型のＬ型部材３およびＬ型部材４がそれぞれ固定されている。なお、Ｌ型部材３はねじ１５およびねじ１６によって、Ｌ型部材４はねじ４２およびねじ４３によって、それぞれ、外部の所定の取付部に取付けられている。そして、このように、Ｌ型部材３およびＬ型部材４が外部の所定の取付部に取付けられ、コ型部材５およびコ型部材６がそれぞれＬ型部材３およびＬ型部材４に取付けられ、さらに、収納ケース１がコ型部材５およびコ型部材６に取付けられていることにより、収納ケース１は前記取付部に取付けられるのである。
【００２５】
図１（ｂ）は、Ｌ型部材３のコ型部材５への取付状態、および、コ型部材５の収納ケース１への取付状態を説明する説明図であり、Ｌ型部材３、コ型部材５および収納ケース１の上部の分解斜視図に相当する。
【００２６】
図１（ａ）および図１（ｂ）を参照して、Ｌ型部材３は、ねじ１５およびねじ１６を穴２８および穴２９にそれぞれ通し、所定箇所にねじ込むことにより、所定の取付部に取付けられる。また、Ｌ型部材３は、ねじ１７およびねじ１８を、穴２４および穴２６にそれぞれ通し、ねじ穴２２およびねじ穴２３にそれぞれねじ込むことにより、コ型部材５に取付けられる。なお、Ｌ型部材３の穴２４および穴２６が形成されている面には、穴２５および穴２７も形成されている。また、穴２６と穴２４は互いに向い合い、穴２５と穴２７とも互いに向い合って形成されている。穴２６の形状は、ねじ１８がちょうど通る程度の大きさの円形である。そして、穴２４、穴２５および穴２７の形状は、円弧状であり、その幅は、ねじ１７が丁度通る程度である。
【００２７】
コ型部材５は、ねじ１１を、穴２１、穴１９、穴２０の順に通し、ナット１３により止められることにより、収納ケース１に取付けられる。コ型部材５に形成された穴２０および穴２１は、いずれも、両端に半円を備えた棒状の穴であり、互いに向い合った場所に形成されている。
【００２８】
なお、図１（ａ）には、補助線として、収納ケース１に収納された状態の光電素子の配列方向にほぼ沿った、収納ケース１の上下方向に延びるａ軸（一点破線）、前記ａ軸にほぼ直交する方向に沿った収納ケース１の左右方向に延びるｂ軸（二点破線）、および、ａ軸とｂ軸との両方にほぼ直交する方向に沿った収納ケース１の前後方向に延びるｃ軸（破線）が示されているが、これらについては後述する。
【００２９】
図２（ａ）に、コ型部材５、コ型部材６、Ｌ型部材３およびＬ型部材４が取付けられた図１（ａ）の収納ケース１の左側面図を示す。図２（ａ）の収納ケース１の下端には、コ型部材６がねじ１２によって取付けられ、コ型部材６には、ねじ３１およびねじ３２によってＬ型部材４が取付けられているが、これらの取付態様は、前述の収納ケース１へのコ型部材５のねじ１１を用いた取付およびコ型部材５へのＬ型部材３のねじ１７およびねじ１８を用いた取付と同様であるため、説明を省略する。また、Ｌ型部材４は、Ｌ型部材３と同様に、ねじ４２を含む２本のねじによって、所定の取付部に取付けられている。
【００３０】
次に、図２（ｂ）に、図１（ａ）の収納ケース１の平面図を示す。図２（ｂ）を参照して、Ｌ型部材３はコ型部材５に、ねじ１７およびねじ１８により取付けられているが、図２（ｂ）においては、コ型部材５はＬ型部材３の真下に位置している。また、ここでは、ねじ１７を、円弧状の穴２４の中央部で固定させている。この場合、図１（ａ）の透明部材２とＬ型部材３の穴２８および穴２９が形成されている面とがほぼ平行の関係にある。つまり、図１および図２に示した収納ケース１は、収納する光電素子が投光または受光する光が通過する光通過面と向い合う面側を、前述の取付部に向いた状態で取付けられていることになる。このような取付状態を背面取付状態と呼ぶ。
【００３１】
一方、図１および図２を用いて説明した背面取付状態とは別に、収納ケース１は、コ型部材５、コ型部材６、Ｌ型部材３およびＬ型部材４を用いて、透明部材２が備えられた面と隣り合う面が取付部側に向いた姿勢で収納ケース１を取付部に取付ける、側面取付状態で取付けられることも可能である。図３は、前述の側面取付状態でのＬ型部材３、コ型部材５および収納ケース１の位置関係を説明するための説明図である。図３を参照して、Ｌ型部材３は、ねじ１５およびねじ１６を穴２８および穴２９にそれぞれ通し、所定の取付部に取付けることにより、所定の取付部に取付けられる。また、Ｌ型部材３は、ねじ１７およびねじ１８を、穴２５および穴２７にそれぞれ通し、ねじ穴２２およびねじ穴２３にそれぞれはめ込むことにより、コ型部材５に取付けられる。なお、ねじ１７およびねじ１８を、図１（ｂ）に示したように穴２４および２６にそれぞれ通すのではなく、穴２５および穴２７にそれぞれ通すことから、図３においては、Ｌ型部材３は、図１（ｂ）の場合と比較して、ａ軸（図１（ａ）参照）を中心とした回転方向に約９０°回転した位置で、コ型部材５に取付けられることになる。
【００３２】
また、コ型部材５は、収納ケース１に、ねじ１１を穴２１、穴１９、穴２０の順番に通し、ナット１３にはめ込むことにより、取付けられる。
【００３３】
図４（ａ）は、図３に示すような側面取付状態にある収納ケース１の正面図であり、図４（ｂ）は、図４（ａ）の収納ケース１の右側面図であり、図４（ｃ）は、図４（ａ）の収納ケース１の平面図である。
【００３４】
図４（ａ）、図４（ｂ）および図４（ｃ）を参照して、収納ケース１の上端お下端には、コ型部材５およびコ型部材６が、それぞれねじ１１およびねじ１２により取付けられている。また、コ型部材５の上およびコ型部材６の下には、それぞれねじ１７、ねじ１８ならびにねじ３１およびねじ３２によって、Ｌ型部材３およびＬ型部材４が取付けられている。そして、Ｌ型部材３は、ねじ１５およびねじ１６により、また、Ｌ型部材４はねじ４２およびねじ４３により、それぞれ、外部の所定の取付部に取付けられている。なお、図４（ａ）における、コ型部材６の収納ケース１への取付およびＬ型部材４のコ型部材６への取付は、図３を用いて説明したように、コ型部材５の収納ケース１への取付およびＬ型部材３のコ型部材５への取付とそれぞれ同様の態様であるため、説明を省略する。
【００３５】
また、図３および図４においては、Ｌ型部材３のねじ１５およびねじ１６が通る面およびＬ型部材４のねじ４２およびねじ４３が通る面は、収納ケース１の透明部材２が設けられた面と隣り合う面と平行になっている。
【００３６】
以上説明したように、収納ケース１の取付に、Ｌ型部材３、コ型部材５、コ型部材６およびＬ型部材４を用いることにより、収納ケース１を背面取付することも可能であり、かつ、側面取付することも可能である。
【００３７】
そして、Ｌ型部材３、コ型部材５、コ型部材６およびＬ型部材４ならびにこれらの取付に用いるねじおよびナットにより、本実施の形態における取付具が構成されている。
【００３８】
なお、図４（ａ）には、補助線として、収納ケース１に収納された状態の光電素子の配列方向にほぼ沿った、収納ケース１の上下方向に延びるｐ軸（一点破線）、前述ｐ軸にほぼ直交する方向に沿った収納ケース１の左右方向に延びるｑ軸（二点破線）、および、ｐ軸とｑ軸との両方にほぼ直交する方向に沿った収納ケース１の前後方向に延びるｒ軸（破線）が示されているが、これらについては後述する。
【００３９】
また、本発明の第１実施の形態に従った取付具を備えることにより、収納ケース１は、図１および図２を用いて説明した背面取付状態ならびに図３および図４を用いて説明した側面取付状態のいずれにおいても、２つの軸をそれぞれ回転中心とした２つの回転方向に関して角度調整が可能である。
【００４０】
第１実施の形態に従った取付具を備えた収納ケースが、このような、２つの回転方向に関する角度調整を行なえることにより、複数の投光素子を収納する投光器の収納ケースと複数の受光素子を収納する受光器の収納ケースが一対となって多光軸光電スイッチに使用される場合に、［従来の技術］の欄で述べた投光器と受光器の「光軸合わせ」をより正確に行なうことが可能となる。
【００４１】
以下に、収納ケース１の２つの軸をそれぞれ回転中心とした２つの回転方向に関する角度調整を、背面取付状態と側面取付状態のそれぞれについて説明する。
【００４２】
図５は、背面取付状態にある収納ケース１のａ軸（図１（ａ）参照）を回転中心とした回転方向に関する角度調整を説明する説明図である。なお、図５（ａ）は、収納ケース１の角度調整を行なう前の収納ケース１の平面図であり、図５（ｂ）は、収納ケース１をａ軸を回転中心とした回転方向に角度調整を行なった後の収納ケース１の平面図である。なお、図５（ａ）および図５（ｂ）においては、ねじ１５およびねじ１６は省略している。
【００４３】
図５（ａ）および図５（ｂ）では、ねじ１７およびねじ１８により、Ｌ型部材３はコ型部材５に取付けられている。なお、図５（ａ）では、コ型部材５は、Ｌ型部材３の真下にあり隠れているため、図示していない。
【００４４】
図５（ａ）と図５（ｂ）を比較すると、ねじ１７の穴２４内の通過位置がずれていることがわかる。ねじ１７の穴２４内の通過位置がずれることにより、コ型部材５のＬ型部材３に対する取付位置がずれ、さらに、コ型部材５に取付けられている収納ケース１のＬ型部材３に対する相対位置がずれている。したがって、図５（ａ）に示した、移動前の、収納ケース１に収納された光電スイッチの配列方向を基準とした軸ｂおよびｃは、角度θ1 だけずれ、点線で示すｂ′軸、ｃ′軸へと移動している。このように、ねじ１７の穴２４内の通過位置を変化させることにより、背面取付状態にある収納ケース１のａ軸を回転中心とした回転ほこに関する角度調整が行なわれるのである。
【００４５】
次に、側面取付状態にある収納ケース１のｐ軸を回転中心とした回転方向に関する角度調整について説明する。図６（ａ）は、側面取付状態にある収納ケース１のｐ軸を回転中心とした回転方向に関する角度調整を行なう前の収納ケース１の平面図であり、図６（ｂ）は、前記角度調整を行なった後の収納ケース１の平面図である。
【００４６】
図６（ａ）および図６（ｂ）においては、ねじ１７およびねじ１８により、Ｌ型部材３はコ型部材５に取付けられている。図６（ａ）と図６（ｂ）を比較すると、ねじ１７の穴２５内の通過位置がずれ、かつ、ねじ１８の穴２７内の通過位置がずれている。これらの通過位置のずれによって、コ型部材５のＬ型部材３に対する取付位置がずれ、さらに、コ型部材５に取付けられている収納ケース１のＬ型部材３に対する相対位置もずれている。したがって、図６（ａ）に示した、角度調整前の、収納ケース１に収納された光電スイッチの配列方向を基準としたｒ軸およびｑ軸は、角度θ2 だけ移動し、それぞれ、点線で示したｒ′軸およびｑ′軸へと変化している。このように、側面取付状態にある収納ケース１のｐ軸を回転中心とした回転方向に関する角度調整が行なわれるのである。
【００４７】
次に、背面取付状態にある収納ケース１および側面取付状態にある収納ケース１の、ｂ軸およびｑ軸をそれぞれ回転中心とした回転方向に関する角度調整について説明する。なお、これらの角度調整は、収納ケース１、コ型部材５、ねじ１１、コ型部材６およびねじ１４が関与するものであり、これらの位置関係は、収納ケース１が背面取付状態にあっても側面取付状態にあっても変化しないことから、代表して、背面取付状態にある収納ケース１のｂ軸を回転中心とした回転方向に関する角度調整についてのみ説明を行なう。
【００４８】
図７（ａ）は、背面取付状態にある収納ケース１のｂ軸を回転中心とした回転方向に関する角度調整を行なう前の収納ケース１の左側面図であり、図７（ｂ）は、前記角度調整を行なった後の収納ケース１の左側面図である。なお、図７（ａ）および図７（ｂ）においては、コ型部材５およびコ型部材６の収納ケース１より手前側にある部分は図示を省略している。また、３０′は、コ型部材６の収納ケース１の向こう側の部分に形成された穴であり、前述の穴３０（図２参照）、穴２０および穴２１（図１参照）と同様の形状を有する。また、コ型部材５は、釘１１が、穴２１（図２参照）に通され、収納ケース１を通過し、穴２０に通され、さらに、収納ケース１の向こう側でナットに固定されることにより、収納ケース１に取付けられ、コ型部材６は、ねじ１２が、穴３０（図２参照）に通され、収納ケース１を通過し、穴３０′に通され、収納ケース１の向こう側でナットに固定されることにより、収納ケース１に固定される。また、Ｌ型部材３はねじ１７およびねじ１８によりＬ型部材５に取付けられ、Ｌ型部材４はねじ３１およびねじ３２によりコ型部材６に取付けられる。
【００４９】
図７（ａ）と図７（ｂ）を比較すると、ねじ１１の穴２０内の通過位置がずれ、さらに、ねじ１２の穴３０′内の通過位置がずれている。このようなねじ１１およびねじ１２の通過位置のずれによって、図７（ａ）と図７（ｂ）とでは、固定されている収納ケース１の位置にずれが生じる。したがって、図７（ａ）に示した、角度調整前の、収納ケース１に収納された光電素子の配列方向を基準とした軸ａは、角度θ3 だけずれ、点線のａ′軸へと移動してしまう。このように、ｂ軸を回転中心とした回転方向に関する角度調整が行なわれるのである。
【００５０】
また、この場合、Ｌ型部材３およびＬ型部材４は角度調整には関与していないため、背面取付状態の収納ケース１に関するａ軸を、側面取付状態にある収納ケース１についてのｐ軸に置換えて考えることができる。したがって、側面取付状態にある収納ケース１のｑ軸を回転中心とした回転方向の角度調整も、上述のように行なわれることになる。
【００５１】
［第２実施の形態］
本発明の第２実施の形態に従う取付具を備えた多光軸光電スイッチの投光器または受光器の収納ケースは、背面取付状態において３つの軸を回転中心とした３つの回転方向の角度調整が可能である。以下に、本実施の形態に従った取付具を備えた投光器または受光器の収納ケースの３つの回転方向の角度調整について説明する。なお、本実施の形態の取付具は、第１実施の形態の取付具の中のＬ型部材３とＬ型部材４とをそれぞれ別部材に変更したものであるため、ここでは、第１実施の形態からの変更部分のみを説明することとする。
【００５２】
なお、第２実施の形態に従った取付具を備えた収納ケースが、このような、３つの回転方向に関する角度調整を行なえることにより、投光器の収納ケースと受光器の収納ケースが一対となって多光軸光電スイッチに使用される場合に、前述の投光器と受光器の「光軸合わせ」をより正確に行なうことが可能となる。
【００５３】
図８は、本発明の第２実施の形態を説明する説明図であり、収納ケース１の上部に第２実施の形態に従う取付具を備えた状態を説明する説明図である。図８を参照して、コ型部材５は、図１（ｂ）を用いて説明したように、ねじ１１が穴２０、穴１９、穴２１の順に通され、ナット１３にねじ込まれることにより、収納ケース１に固定される。
【００５４】
そして、本実施の形態においては、図１（ｂ）に示したＬ型部材３の代りに、Ｌ型部材５０が、コ型部材５および外部の所定の取付部に取付けられる。このＬ型部材５０は、同一面上に穴５１、穴５２、穴５３および穴５４を有しており、これらの４つの穴の形状は、Ｌ型部材３の穴２４、穴２５、穴２６および穴２７とそれぞれに対応して同様の形状を有しているため、説明を省略する。また、Ｌ型部材５０は、穴５１、穴５２、穴５３および穴５４の４つの穴が形成される面と異なる面上には、穴５５が形成されている。穴５５の形状は、穴２０および穴２１と同様の、両端に半円を備えた棒状である。そして、Ｌ型部材５０は、ねじ５６を、穴５５に通して、所定箇所に取付けることにより、外部の所定の取付部に取付けられる。また、Ｌ型部材５０は、ねじ５７およびねじ５８を、穴５３および穴５１にそれぞれ通し、ねじ穴２３およびねじ穴２２にそれぞれねじ込むことにより、コ型部材５に取付けられる。
【００５５】
なお、本実施の形態においては、収納ケース１の下部にも、同様のコ型部材の変更が行なわれる。図９に、収納ケース１が本実施の形態に従った取付具によって所定の取付部に取付けられている状態を示す。
【００５６】
図９を参照して、本実施の形態の取付具においては、図８を用いて説明したＬ型部材５０に加え、図１（ａ）に示したＬ型部材４の代りにコ型部材６および外部の所定の取付部に取付けられるＬ型部材６０が、含まれる。このＬ型部材６０は、前述のＬ型部材５０と同様の構造を有し、穴６５は穴５５と同様の構造を有するため、詳細な説明を省略する。なお、Ｌ型部材６０は、図示せぬねじを穴６５を通して所定箇所に固定することにより、外部の所定の取付部に固定される。
【００５７】
つまり、本実施の形態においては、Ｌ型部材５０、Ｌ型部材６０、コ型部材５、コ型部材６およびこれらをそれぞれの部材等に取付けるねじ１１等の複数のねじにより、取付具が構成されている。
【００５８】
なお、図９に示す収納ケース１は、背面取付状態で外部の所定の取付部に取付けられている。また、補助線として示したａ軸、ｂ軸およびｃ軸の３つの軸は、図１に示したものと同様である。
【００５９】
次に、図９の背面取付状態にある収納ケース１を前述のａ軸、ｂ軸およびｃ軸の３つの軸を回転中心とした３つの回転方向に関する角度調整について説明するが、ａ軸およびｂ軸の２つの軸を回転中心とした２つの回転方向に関する角度調整については、第１実施の形態で説明したように、第１実施の形態から変更したＬ型部材３およびＬ型部材４は関与していなかったので、説明を省略する。そして、以下では、３つめの軸であるｃ軸を回転中心とした回転方向に関する角度調整について説明する。
【００６０】
図９では、Ｌ型部材５０およびＬ型部材６０は、ねじ５６および穴６５を通る図示せぬねじを、それぞれ穴５５内および穴６５内のほぼ中心部に通して外部の所定箇所に固定させて、所定の取付部に取付けられている。
【００６１】
ここで、ねじ５６の穴５５内の通過位置を左右のいずれか一方にずらし、穴６５を通る図示せぬねじの穴６５内の通過位置を左右のいずれか他方にずらすと、収納ケース１の位置は、図９の位置と比較して、通過位置のずれに応じた角度だけ、ｃ軸を回転中心とした回転方向に関して回転していることになる。
【００６２】
以上のようにして、収納ケース１のｃ軸を回転中心とした回転方向に関する角度調整が行なわれる。
【００６３】
［第３実施の形態］
本発明の第３実施の形態に従う取付具を備えた多光軸光電スイッチの投光器または受光器の収納ケースは、背面取付状態および側面取付状態において３つの軸を回転中心とした３つの回転方向の角度調整が可能である。以下に、本実施の形態に従った取付具を備えた投光器または受光器の収納ケースの背面取付状態および側面取付状態での３つの回転方向の角度調整について説明する。なお、本実施の形態の取付具は、第２実施の形態の収納ケース１の上下に別部材を取付けたような構成であるため、ここでは、第２実施の形態からの変更部分のみを説明することとする。
【００６４】
なお、第３実施の形態に従った取付具を備えた収納ケースが、このような、異なる複数の取付状態において３つの回転方向に関する角度調整を行なえることにより、投光器の収納ケースと受光器の収納ケースが一対となって多光軸光電スイッチに使用される場合に、前述の投光器と受光器の「光軸合わせ」をより正確に、かつ、多くの条件の下で行なうことが可能となる。
【００６５】
図１０は、本発明の第３実施の形態を説明する説明図である。図１０（ａ）を参照して、本実施の形態においては、収納ケース１００の上下に角度変更部材７０が取付けられる。収納ケース１００は、ここまで説明してきた収納ケース１が有する穴１９は有しておらず、その上面１００ａにはねじ穴７３ａ〜ｄを有しているが、収納する光電素子が投光または受光する光が通過する透明部材１０１をその一面に備える等の構成は、収納ケース１と同様の構成を有している。なお、図１０では、収納ケース１の上に角度変更部材７０が取付けられる様子のみを示す。角度変更部材７０は、角度変更部材７０を貫通する穴７０ａ〜ｄの４つの穴と、穴７０ａ〜ｄとは異なる平面に形成され角度変更部材７０を貫通する穴７２を有している。
【００６６】
角度変更部材７０は、ねじ７１ａ〜ｄを、それぞれ７０ａ〜ｄに通し、ねじ７３ａ〜ｄにそれぞれねじ込むことによって、収納ケース１００に取付けられる。
【００６７】
本実施の形態においては、収納ケース１００の下部にも、穴７０ａ〜ｄ、穴７２に相当する穴が形成され、角度変更部材７０に相当する角度変更部材がねじ７１ａ〜ｄに相当するねじによって取付けられる構成を有している。
【００６８】
図１０（ｂ）に、角度変更部材７０が、収納ケース１００の上部に取付けられた状態を示す。本実施の形態においては、角度変更部材７０には、穴７２を穴１９（図８参照）の代りとして、穴７２にねじ１１を通すことにより、コ型部材５が取付けられる。そして、コ型部材５には、Ｌ型部材５０が取付けられる。そして、Ｌ型部材５０は、所定の取付部に取付けられる。このようにして、収納ケース１００は、所定の取付部に取付けられる。収納ケース１００の下部にも角度変更部材７０と同様の構成を有する角度変更部材が取付けられていることから、図８と図１０（ｂ）を比較すると、図１０（ｂ）の状態にある収納ケース１００は、第２実施の形態の収納ケース１と同様に、背面取付状態にあることがわかる。
【００６９】
ここで、角度変更部材７０および収納ケース１００の下部に取付けられる角度変更部材は、図１０（ｂ）の状態から、二点破線の補助線ｓで示した、収納ケースに収納される光電素子の配列方向にほぼ沿った軸を回転中心とした回転方向に関して９０°回転させて、取付けることもできる。
【００７０】
図１０（ｃ）に、角度変更部材７０を、図１０（ｂ）の状態から９０°回転させて取付けた状態を示す。図１０（ｃ）および図８を参照して、角度変更部材７０および収納ケース１００の下部にある角度変更部材を図１０（ｂ）の状態から９０°回転させ、図１０（ｃ）の状態にある穴７２にねじ１１を通し、収納ケース１００の下部にある角度変更部材にある穴にも同様にねじ１２を通すと、収納ケース１００は結果として、側面取付状態になる。
【００７１】
以上をまとめると、本実施の形態に従った取付具は、収納ケース１００の上下にそれぞれ角度変更部材が取付けられているため、収納ケース１００を背面取付状態にも側面取付状態にも固定することができる。また、本実施の形態の取付具は、第２実施の形態における構成を削除することなく、第２実施の形態の収納ケース１の上下に別部材を取付けたような構成である。したがって、本実施の形態に従えば、背面取付状態および側面取付状態の両方の取付状態にある収納ケース１００を３つの軸をそれぞれ回転中心とした３つの回転方向に関する角度調整が可能な取付具を、提供可能になる。
【００７２】
なお、今回開示された実施の形態は、全ての点で例示であって制限的なものではないと考えられるべきである。本発明の範囲は、上記した説明ではなく前掲の特許請求の範囲によって示され、特許請求の範囲と均等の意味および範囲内での全ての変更が含まれることが意図される。
【００７３】
【課題を解決するための手段の具体例】
［１］  図１に示したａ軸によって、収納状態の投光素子または受光素子の配列方向にほぼ沿った第１軸が構成され、ｂ軸によって、第１軸に対しほぼ直交する方向に沿った第２軸が構成されている。
【００７４】
また、第１実施の形態で説明した、Ｌ型部材３、コ型部材５、穴２４、Ｌ型部材３をコ型部材５に取付けるねじ１７および１８、Ｌ型部材４、コ型部材６、Ｌ型部材４上のねじ３２が通る穴、ならびに、Ｌ型部材４をコ型部材６に取付けるねじ３１および３２によって、収納ケース１を第１軸を回転中心として回転可能に固定可能に保持する第１の保持手段が構成されている。
【００７５】
また、第１実施の形態で説明した、コ型部材５、穴２１、穴２２、ねじ１１、ナット１３、コ型部材６、ねじ１２、穴３０、コ型部材６上の穴３０と向い合う穴、ならびに、ナット１４によって、収納ケース１を第２軸を回転中心として回転可能にかつ固定可能に保持する第２の保持手段が構成されている。
【００７６】
そして、上記の第１の保持手段および第２の保持手段、ならびに、Ｌ型部材３およびＬ型部材４を所定箇所に取付けるねじ１５等の複数のねじによって、投光器の投光素子が投光した光を受光器の受光素子が受光する投受光方式の検出装置の投光器または受光器の収納ケースを取付けるための、取付具が構成されている。
【００７７】
［２］  第２実施の形態で説明したように、図９に示したａ軸によって、収納状態の投光素子または受光素子の配列方向にほぼ沿った第１軸が構成され、ｂ軸によって、第１軸に対しほぼ直交する方向に沿った第２軸が構成され、ｃ軸によって、第１軸と第２軸の両方に対しほぼ直交する方向に沿った第３軸が構成されている。
また、第２実施の形態で説明した、Ｌ型部材５０、コ型部材５、穴５１、Ｌ型部材３をコ型部材５に取付けるねじ５７および５８、Ｌ型部材６０、コ型部材６、Ｌ型部材６０上のＬ型部材６０をコ型部材６に取付けるねじが通る穴、ならびに、Ｌ型部材６０をコ型部材６に取付けるねじによって、収納ケース１を第１軸を回転中心として回転可能にかつ固定可能に保持する第１の保持手段が構成されている。
【００７８】
また、第２実施の形態で説明した、コ型部材５、穴２１、穴２２、ねじ１１、ナット１３、コ型部材６、ねじ１２、穴３０、コ型部材６上の穴３０と向い合う穴、ならびに、ナット１４によって、収納ケース１を第２軸を回転中心として回転可能に固定可能に保持する第２の保持手段が構成されている。
【００７９】
また、第２実施の形態で説明した、穴５５、ねじ５６、穴６５、ならびに、穴６５に通されるねじによって、収納ケース１を第３軸を回転中心として回転可能にかつ固定可能に保持する第３の保持手段が構成されている。
【００８０】
［３］  第３実施の形態で説明した、角度変更部材７０、収納ケース１００の下部に取付けられる角度変更部材、ねじ１１、ならびに、ねじ１２によって、たとえば背面取付状態のような収納ケース１００の光通過面を除くある面が取付部側に向いた姿勢で収納ケース１００を保持する第１保持状態と、たとえば側面取付状態のような、前記ある面および光通過面以外の他の面が取付部側に向いた姿勢で収納ケース１００を保持する第２保持状態とに、収納ケースの保持状態を選択的に切換えることが可能な姿勢切換保持手段が構成されている。
【００８１】
［４］  この発明のその他の特定例
（１）  第１実施の形態で説明した、図１（ｂ）に示す穴１９、穴２０および穴２１の形状の変形例を以下に説明する。。図１１にこれらの形状の変形例を示す。
【００８２】
図１１（ａ）を参照して、収納ケース１の上部に形成された穴１９の変形例である穴５１９は、ねじ１１の太さとほぼ同じ幅を有し、断面が両端に半円を有する棒状の形状を有した収納ケース１を貫通する穴である。そして、穴５２０および穴５２１は、コ型部材５に形成された穴２０および穴２１の変形例である。穴５２０および穴５２１は、ねじ１１がちょうど通る程度の大きさであるが、穴５２１はねじ１１をねじ込むことができるねじ穴となっている。なお、収納ケース１の下部の穴３０等の相当する部分においても同様の変形が可能である。図１１（ｂ）は図１１（ａ）のＰ−Ｐ線に沿う矢視断面図である。コ型部材５を収納ケース１に取付ける場合、ねじ１１は、穴５２０、穴５１９、穴５２１の順に通され、穴５１９内の通過位置を変更し、収納ケース１の下部においてもねじ１２の通過位置を適宜変更することにより、収納ケース１はｂ軸を回転中心とした回転方向に関して角度調整が可能となる。なお、このような構成にすることにより、ねじ穴５２１によってねじ１１が固定可能であるため、ねじ１１を固定するためのナットは必要なくなり、取付具において、さらに、構成部品を削減することが可能となる。
【００８３】
（２）  第１実施の形態で説明した図１（ｂ）に示すコ型部材５の形状および穴１９構成の変形例を以下に説明する。図１２にこれらの形状および構成の変形例を示す。
【００８４】
図１２（ａ）を参照して、収納ケース１の上部に形成された穴１９の変形例である６１９は、ねじ１１の太さとほぼ同じ幅を有するねじ穴である。収納ケース１の上部にネジ１１によって取付けられる、コ型部材５の変形例である接続部材６０５は、断面がＬ型である。つまり、図１（ｂ）に示すコ型部材５から穴２０が形成されている面を削除したような形状を有している。
【００８５】
接続部材６０５は、ねじ１１を穴２１に通しねじ穴６１９にねじ込んで固定することにより、前述のように、収納ケース１の上部に取付けられる。図１２（ｂ）は図１２（ａ）のＱ−Ｑ線に沿う矢視断面図である。この変形例においては、ねじ穴６１９の内部にねじ溝が刻んであることから、ねじ１１は、先端にナットをかまさなくとも、固定可能となる。したがって、この変形例においては、図１（ｂ）に示すようなナット１３は必要なくなり、さらに、コ型部材５を、その一面（穴２０が形成されている面）を削除したような形状を有する
接続部材６０５で代用することができる。したがって、取付具において、さらに、構成部品および構成部品の材料の使用量を削減することが可能となる。
【００８６】
（３）  第３実施の形態において、収納ケースの形状を四角柱としていたが、本発明に従った取付具を適用する投光器または受光器の収納ケースの形状はこれに限定されるわけではない。したがって、第１保持状態、第２保持状態についても、それぞれ、背面取付状態、側面取付状態に限定されるものではない。
【００８７】
【発明の効果】
請求項１に記載の発明については、本発明に従った取付具は、第１の保持手段と第２の保持手段とを含んでいる。そして、第１の保持手段の働きにより、前記収納ケースは、収納ケースに収納された複数の投光素子または受光素子の配列方向にほぼ沿った第１軸を回転中心として回転可能にかつ固定可能に保持される。また、第２の保持手段の働きにより、収納ケースは、前記第１軸に対しほぼ直交する方向に沿った第２軸を回転中心として回転可能にかつ固定可能に保持される。つまり、請求項１に記載の本発明に従った取付具によって収納ケースを取付けた場合、収納ケースは、前記第１軸および前記第２軸のそれぞれを回転中心とした２つの回転方向に回転可能にかつ固定可能に保持されることになる。したがって、より正確に投光器の収納ケースと受光器の収納ケースの光軸合わせができる取付具が提供可能となる。また、第１実施の形態では、上記の第１の保持手段および第２の保持手段をプレス加工によって製造可能な部材で構成している。したがって、上記のような効果を有する第１の保持手段および第２の保持手段を、より容易に得ることができる。
【００８８】
請求項２に記載の発明については、取付具は、第３の保持手段をさらに含むことになる。そして、第３の保持手段の働きにより、前記収納ケースは、前記第１軸と前記第２軸との両方にほぼ直交する方向に沿った第３軸を回転中心として回転可能にかつ固定可能に保持されることになる。つまり、請求項２に記載の本発明に従った光電スイッチ用取付具によって所定の取付部に取付けられた収納ケースは、前記第１軸、前記第２軸および前記第３軸の３つの軸をそれぞれ回転中心とした３つの回転方向に関して角度調整が可能となる。したがって、さらに正確に投光器の収納ケースと受光器の収納ケースの光軸合わせができる取付具が提供可能となる。また、第２実施の形態では、上記の第１の保持手段、第２の保持手段および第３の保持手段をプレス加工によって製造可能な部材で構成している。したがって、上記のような効果を有するを第１の保持手段、第２の保持手段および第３の保持手段、より容易に得ることができる。
【００８９】
請求項３に記載の発明については、取付具は、姿勢切換保持手段をさらに含む。そして、姿勢切換保持手段の働きにより、前記収納ケースが投光素子が投光した光が通過する光通過面を含む横断面が多角形の柱状の形状に構成されている場合、前記収納ケースは、前記収納ケースの前記光通過面を除くある面が被取付部側に向いた姿勢の第１保持状態と、前記ある面および前記光通過面以外の他の面が被取付部側に向いた姿勢の第２保持状態とに、選択的に切換えられる。したがって、収納ケースは、取付部に対して異なる複数の方向を向くそれぞれの状態で保持され、かつ、２つの回転方向または３つの回転方向に関して角度調整が可能となる。
【図面の簡単な説明】
【図１】（ａ）は、本発明の第１実施の形態に従った取付具を備えた投光素子または受光素子からなる光電素子を収納している収納ケースの正面図であり、（ｂ）は、（ａ）のＬ型部材のコ型部材への取付状態、および、コ型部材の収納ケースへの取付状態を説明する説明図である。
【図２】（ａ）は、図１（ａ）の収納ケースの左側面図であり、（ｂ）は、図１（ａ）の収納ケースの平面図である。
【図３】側面取付状態でのＬ型部材、コ型部材および収納ケースの位置関係を説明するための説明図である。
【図４】（ａ）は、側面取付状態にある収納ケースの正面図であり、（ｂ）は、（ａ）の収納ケースの右側面図であり、（ｃ）は、（ａ）の収納ケースの平面図である。
【図５】背面取付状態にある収納ケースの角度調整を説明する説明図である。
【図６】側面取付状態にある収納ケースの角度調整を説明する説明図である。
【図７】背面取付状態にある収納ケースの角度調整を説明する説明図である。
【図８】本発明の第２実施の形態に従った取付具の構造を説明する説明図である。
【図９】本発明の第２実施の形態に従った取付具によって収納ケースが所定の取付部に取付けられている状態を説明する説明図である。
【図１０】本発明の第２実施の形態に従った取付具の構造を説明する説明図である。
【図１１】本発明の第１実施の形態の変形例を示す図である。
【図１２】本発明の第１実施の形態の変形例を示す図である。
【図１３】（ａ）は、収納ケースが従来の取付具で取付けられた状態を説明する説明図であり、（ｂ）は、（ａ）の収納ケースと従来の取付具の接続関係を示す説明図である。
【図１４】投光器および受光器からなる多光軸光電スイッチが一般的な取付具で取付けられた装置を示す図である。
【符号の説明】
１  収納ケース
２  透明部材
３，４  Ｌ型部材
５，６  コ型部材
１１，１２，１５，１６，１７，１８  ねじ
１３，１４  ナット
１９，２０，２１，２４，２５，２６，２７，２８，２９  穴
２２，２３  ねじ穴
【図１】
0003834886.tif 000002
【図２】
0003834886.tif 000003
【図３】
0003834886.tif 000004
【図４】
0003834886.tif 000005
【図５】
0003834886.tif 000006
【図６】
0003834886.tif 000007
【図７】
0003834886.tif 000008
【図８】
0003834886.tif 000009
【図９】
0003834886.tif 000010
【図１０】
0003834886.tif 000011
【図１１】
0003834886.tif 000012
【図１２】
0003834886.tif 000013
【図１３】
0003834886.tif 000014
【図１４】
0003834886.tif 000015